(57)【要約】【課題】  どのような既存のメガネに対しても簡単に装着でき、且つその装着力を向上させることができる付加型サングラスを提供する。【解決手段】  金属製の薄板を折り曲げて形成された板バネ２に、第１レバー支持部３と、第２レバー支持部４と形成し、これらに前レバー５及び後レバー６を組み付けて前記板バネ２と両レバー５、６とが一体的に動作するようにする。また、板バネ２の内面２ｃの前レバー５側の面にレンズホルダ支持部材１１の一端部をネジ１２にて固定し、これにより区画され空間Ｚに、略コ字状に形成され、両先端部に色付きサングラス１５が固定されたレンズホルダ１３の支持部１３ａを挿通して、付加型サングラス１を構成する。これにより、既存のレンズ８の表裏面を両レバー５、６にて挟むようにして装着力を向上させ、更に既存のメガネ１７の形状を問わずに装着できるようにする。【選択図】  図１
2006301287.tif 000002
【特許請求の範囲】
【請求項１】
一対のレンズを有するメガネに対して後付される付加型サングラスにおいて、
前記レンズの表裏面を挟込む一対の挟みレバーと、
薄板を折り曲げることにより形成され前記挟みレバーを常に閉方向に付勢しながら支持する板バネと、
この板バネに取付けられたレンズホルダ支持部材と、
このレンズホルダ支持部材に回動可能に支持されたレンズホルダと、
このレンズホルダに支持される遮光レンズとを備えたことを特徴とする付加型サングラス。
【請求項２】
前記挟みレバーは、線材を曲げ加工することにより形成されるものであり当該挟みレバーにおいて前記レンズと当接する箇所には樹脂が取付けられていることを特徴とする請求項１記載の付加型サングラス。
【請求項３】
前記挟みレバーは、略Ｕ字の形状をなし、両側部の途中にクランク形状をなす一対の段部を有し、
前記板バネは、その両側端面から一部突出した耳部を折り曲げることにより形成された側方支持部と、両先端面から一部突出した耳部を折り曲げることにより形成された下方支持部とを有し、
前記挟みレバーは、その両側面が前記側方支持部に支持され、前記一対の段部が前記下方支持部にそれぞれ支持されることにより前記板バネに組み付けられていることを特徴とする請求項２記載の付加型サングラス。
【請求項４】
前記レンズホルダにおいて、前記レンズホルダ支持部材に支持される部分の断面が、一部に偏平部を有する概略楕円形状に形成されており、
前記レンズホルダ支持部材は、その一端側が前記板バネに固定され、他端部に形成された支持部に付与される付勢力により前記レンズホルダを支持することを特徴とする請求項１ないし３のいずれかに記載の付加型サングラス。
【請求項５】
前記遮光レンズは、重ね合わせた状態で配置される不動偏光板及び可動偏光板と、
これら２枚の偏光板の両面側を覆い、透光性を有する材質で構成される第１及び第２カバーとを備えて構成され、
前記不動偏光板は、前記第１カバー側に固定され、
前記第２カバーは、前記可動偏光板を回動可能に収容支持し、
前記可動偏光板は円形をなし、その外周端部の一部は、前記第１及び第２カバーの上端もしくは下端の少なくとも一方より突出するように配置されていることを特徴とする請求項１ないし４のいずれかに記載の付加型サングラス。
【発明の詳細な説明】
【技術分野】
【０００１】
本発明は、既存のメガネに対して後付け可能な付加型サングラスに関する。
【背景技術】
【０００２】
従来の付加型サングラスとしては、例えば次のような構成が知られている。即ち、図６に示すように、この付加型サングラス１００は、一対の遮光レンズ（サングラス）１０１と、これら遮光レンズ１０１を保持するフレーム１０２とを有している。フレーム１０２は、つる（耳に掛ける部分）は有さない構成となっており、その両端部と中央部とにそれぞれマグネット１０３が取付けられている。
このような構成の付加型サングラス１００は、前記遮光レンズ１０１をメガネ１０４の（度入り）レンズ１０５に対して、前面から重ね合せるようにすることで、前記マグネット１０３がメガネ１０４のフレーム１０６に磁着し、これにより前記付加型サングラス１００が前記メガネ１０４に装着されるようになっている（例えば、特許文献１参照）。
【特許文献１】特開平７−１２８６２０号広報（特に、段落「０００８」及び図１）
【発明の開示】
【発明が解決しようとする課題】
【０００３】
上記のような付加型サングラス１００は、メガネ１０４に対して簡単に装着できるというメリットがある。しかし一方で、次のようなデメリットを有していた。即ち、付加型サングラス１００は、メガネ１０４に対してマグネット１０３の磁着のみで装着される構成であるので、その装着力が非常に弱い。更に、メガネ１０４におけるレンズ１０５の形状、フレーム１０６の形状、或いは材質によっては装着できない場合があり、装着できる対象数が限られていた。
本発明は、上記事情に鑑みてなされたもので、その目的は、どのような既存のメガネに対しても簡単に装着でき、且つその装着力を向上させることができる付加型サングラスを提供することにある。
【課題を解決するための手段】
【０００４】
上記課題を解決するために、本発明は、一対のレンズを有するメガネに対して後付される付加型サングラスにおいて、前記レンズの表裏面を挟込む一対の挟みレバーと、薄板を折り曲げることにより形成され前記挟みレバーを常に閉方向に付勢しながら支持する板バネと、この板バネに取付けられたレンズホルダ支持部材と、このレンズホルダ支持部材に回動可能に支持されたレンズホルダと、このレンズホルダに支持される遮光レンズとを備えたことを特徴とする（請求項１の発明）。
この場合、付加型サングラスの装着は、挟みレバーによって既存のメガネのレンズを表裏面から挟み込む構成であるので、既存のメガネのフレーム形状や材質を問うことなく、簡単に装着することができる。また、挟みレバーは板バネによって常に閉方向（レンズを挟む方向）に付勢されるので、既存のメガネに対する装着力を向上させることができる。
【発明の効果】
【０００５】
以上のように、本発明の付加型サングラスによれば、どのような既存のメガネに対しても簡単に装着でき、且つその装着力を向上させることができるという優れた効果を得ることができる。
【発明を実施するための最良の形態】
【０００６】
以下、本発明の第１の実施例を図１〜図３を参照して説明する。
図１に示すように、付加型サングラス１は、金属製の薄板を折り曲げて、断面視が逆三角フラスコ状に形成された板バネ２（いわゆる、クリップのような構成）を有している。この板バネ２は、その形状により、両先端を近接させる方向に付勢力が発生するように構成されている。板バネ２には、図２にも示すように、その両側端面から一部突出した耳部２ａを、外方に向かって略カール状に折り曲げることにより形成された一対の第１レバー支持部（側方支持部）３と、両先端面から一部突出した耳部２ｂを、同じく外方に向かって略カール状に折り曲げることにより形成された一対の第２レバー支持部（下方支持部）４とを有している。なお、前記第１レバー支持部３及び第２レバー支持部４は、板バネ２の表裏面に形成されるものである。
【０００７】
板バネ２の表面（図１中、（ａ）では図面の表面、（ｂ）では左面）において、第１レバー支持部３及び第２レバー支持部４には、挟みレバーに相当する前レバー５が組み付けられている。なお、板バネ２の裏面にも挟みレバーに相当する後レバー６が組み付けられているが、互いの構成は同様であるので、以下には前レバー５の構成についてのみ説明する。
前レバー５は、金属性の線材を曲げ加工することにより、略Ｕ字の形状に形成されている。この前レバー５の両側部の途中には、クランク形状をなす一対の段部７が形成されている。前レバー５は、その両側面が第１レバー支持部３に支持され、更に前記段部７が第２レバー支持部４に支持されることにより、板バネ２に対して位置決めされて組み付けられている。これにより、前レバー５と板バネ２とは一体となって動作するようになっていると共に、前レバー５及び後レバー６は、常に閉方向（図１中、矢印Ａ方向）に付勢されるようになっている。
前レバー５の板バネ２への組み付けは、まず前レバー５の両側部を抑えて収縮させ、この両側部を第１レバー支持部３の間に配置させる。そして、この状態で段部７を第２レバー支持部４に嵌合（いわゆる、位置決めのため）させた後に、両側部の収縮を解放して当該両側部を弾性反発力により第１レバー支持部３に当接させる。
前レバー５の両先端、換言すれば既存のレンズ（図３参照、詳細は後述する）８と当接する箇所には、略球状をなす樹脂９が取付け（コーティング）られている。なお、前レバー５の上端側（図１中、上端側）は、つまみ部１０として形成されている。
【０００８】
板バネ２において、前レバー５が取付けられる側の内面２ｃ（図１（ｂ）中、左方側）、には、断面視で凸部１１ａ（支持部）を有するレンズホルダ支持部材１１が配設されている。このレンズホルダ支持部材１１は、その上端側が板バネ２に対しネジ１２にて固定されており、凸部１１ａが形成されている下方側は自由端となっている。そして、レンズホルダ支持部材１１の上端側をネジ１２にて固定することにより、前記凸部１１ａ（自由端）側は前記板バネ２の内面２ｃ方向に常時付勢力が付与される構成となっており、更に凸部１１ａと前記内面２ｃとで空間Ｚ（図１（ｂ）参照）が区画されるようになっている。
前記空間Ｚには、レンズホルダ支持部材１１が固定される際に、金属製の線材を折り曲げることにより略コ字状に形成されたレンズホルダ１３が挿通され、支持されるようになっている。このレンズホルダ１３において、レンズホルダ支持部材１１に支持される支持部１３ａの断面は、図２（ｂ）に示す（なお、図２（ｂ）は（ａ）のＸ−Ｘ線に沿う断面
図）ように、一部に偏平部を有する概略楕円形に形成されている。レンズホルダ１３の両先端部には、レンズ固定部１４が形成されている。
【０００９】
このレンズ固定部１４には、図１（ａ）に示すような、略矩形状の色付きサングラス（遮光レンズ）１５の一角部がネジ１６により固定されている。そして、この支持部１３ａは前記凸部１１ａによって常時内面２ｃ側に付勢されているので、その回動位置により、色付きサングラス１５は上方に跳ね上げられる上方位置（図１（ｂ）中、二点鎖線）と、下方に下げられる下方位置（図１（ｂ）中、実線）とに回動されると、夫々の位置で節度が付与されるようになっている。
【００１０】
次に、図３を参照しながら、上記のように構成された付加型サングラス１を、既存のメガネ１７に（後付け）装着する方法を説明する。なお、図３において、既存のメガネ１７は側面から見ている。
使用者は、まず前レバー５及び後レバー６の両つまみ部１０、１０をつまみ、この状態で、両レバー５、６を支持する板バネ２の弾性反発力に抗しながら当該両つまみ部１０、１０が互いに近接する方向（図３中、Ｂ方向）へ力を加えていく。すると、両レバー５、６の両先端が徐々に離間する方向へと移動するのに伴って、板バネ２の両先端も徐々に離間する方向へと広がっていく。使用者は、この状態で付加型サングラス１を既存のメガネ１７の上方で、且つ両レバー５、６が、フレーム１８に支持された一対のレンズ８を挟むような位置に移動させる。それから、付加型サングラス１をゆっくり既存のメガネ１７に被せ、両レバー５、６の樹脂９、９が既存のメガネ１７のレンズ８に対して高さ方向に一致する位置まで下降させる。そして、今度は両つまみ部１０、１０に加えていた力を徐々に緩める。
【００１１】
すると、板バネ２の弾性復元力によって、両レバー５、６の先端の樹脂９が、レンズ８の表裏面を徐々に挟みこむようになり、これにより付加型サングラス１は、既存のメガネ１７に対して装着される。そして、使用者は、この状態で既存のメガネ１７を通常通りかけて使用する。ここで、平時の場合、つまり使用者が眩しさを感じないときには、当該使用者は色付きサングラス１５の端面を摘まんで当該色付きサングラス１５を上方に跳ね上げた状態で使用する。一方、使用者が眩しいと感じた場合、前記使用者は、色付きサングラス１５の端面を摘まんで当該色付きサングラス１５を下方に下げて使用する。このような動作により、使用者は、視界の明るさを所望の光の強さに調整する。
【００１２】
以上のような、本実施例の付加型サングラス１によれば、まず、その装着を前レバー５及び後レバー６（いわゆる、クリップのような構成）によって既存のレンズ８を表裏面から挟み込むように構成したので、既存のメガネ１７の形状や材質を問うことなく、簡単に、且つ確実に装着することができる。また、両レバー５、６は板バネ２にて常に閉方向（レンズ８を挟む方向）に付勢される構成であるので、付加型サングラス１の装着力を向上させることができる。
また、前レバー５及び後レバー６の付勢力を当該両レバー５、６を組み付ける板バネ２によって得るようにした。このため、軸心を有するコイルバネのような複雑で、且つ機構が複雑なものを使用しなくてもよいので、構成を簡素化することができると共に、メンテナンスも容易にすることができる。
【００１３】
次に、本発明の第２の実施例を図４及び図５を参照しながら説明する。なお、上記第１の実施例と同様な箇所には同符号を付し、その詳細な説明は省略する。
図４に示すように、付加型サングラス２０のレンズホルダ支持部材２１は、断面視で下方側に凹部を有し、全体としては略矩形箱状をなしている。このレンズホルダ支持部材２１は、板バネ２の内面２ｃ（図４参照）のうち、後レバー６側の面（図４（ｂ）では、右側の面）、この場合、使用者の視線方向とは反対側の面に、ボルト１２にて固定されている。
このレンズホルダ支持部材２１に回動可能に支持されるレンズホルダ２４は、第１の実施例におけるレンズホルダ１３の支持部１３ａと同様な形状に構成される支持部２４ａ（図５参照）の両側面より、２本の腕部２４ｂ、２４ｂが前方側（図４（ｂ）中、左側）に延びている。そして、レンズ支持部２４ｃ、２４ｃが、それら腕部２４ｂ、２４ｂの先端から左右方向（図５（ａ）中、左右方向）に延びるように形成されている。レンズ支持部２４ｃ、２４ｃには、調光レンズ２２（詳細は後述する）の上端部がボルト２２ａ及びナット２２ｂ（図５参照、図４では説明の便宜上、省略している）によって取り付けられている。
【００１４】
調光レンズ２２は、互いに同じ構成をなしているため、以下においては、左側の調光レンズ２２についてのみ説明する。図４（ａ）に示すように、全体としては略矩形状をなす調光レンズ２２は、図５に示すような、透光性を有する第１カバー２５を備えている。この第１カバー２５は略矩形状をなしており、上方両隅には、前述したボルト２２ａを挿入するボルト挿入孔２６が形成されていると共に、裏面（図５中、後方の面）には、同一形状をなす不動偏光板２７が配設されている。
【００１５】
この不動偏光板２７も、上方両隅にボルト挿入孔２６が形成されており、その裏面には可動偏光板２８が配設されている。可動偏光板２８は、全体としては略円形をなすものであり、その外周部の一部には円弧状の切欠部２９が形成されると共に、その一部は、前記第１カバー２５及び不動偏光板２７の下面よりも突出するように構成されている。この切欠部２９は、可動偏光板２８の回動範囲に応じて形成されるものであるが、本実施例では全周に亘って形成するようにしている。
【００１６】
可動偏光板２８の裏面には、透光性を有する第２カバー３０が配設されている。この第２カバー３０は、略矩形状をなしており、上方両隅には、ボルト挿入孔２６が形成されている。また、第２カバー３０の中央には、前述した可動偏光板２８を収容支持するための収容部３１が形成されている。この収容部３１は、可動偏光板２８の形状に沿って第２カバー３０の厚み方向に概ね円形の凹みをなしているため、可動偏光板２８は（第２カバー３０の）収容部３１に支持されながら回動可能になっている。
【００１７】
以上のように第１カバー２５、不動偏光板２７、可動偏光板２８、第２カバー３０を配列して調光レンズ２２を形成し、前記各ボルト挿入孔２６及びレンズホルダ２４（レンズ支持部２４ｃ、２４ｃ）にボルト２２ａを挿入し、ナット２２ｂにて締めつけることにより、全部材が一体的に構成される。なお、このような構成の調光レンズ２２を支持するレンズホルダ２４は、支持部２４ａによって、上方に跳ね上げられる上方位置（図４（ｂ）中、二点鎖線）と、下方に下げられる下方位置（図４（ｂ）中、実線）とを節度的に回動可能になっている。
【００１８】
このような構成の付加型サングラス２０においては、既存のメガネ（図示せず）に装着した状態で、使用者が視界が暗い、或いは眩しいと感じた場合、前記使用者は、調光レンズ２２の端面を摘まんで当該調光レンズ２２を上方に跳ね上げたり、或いは下方に下げたりして調整する。更に、光の加減によって、使用者が調光レンズ２２における光の透過率を調整したいという状態になったら、前記使用者は、切欠部２９を触認しながら可動偏光板２８を指にて回動させ、２枚の偏光板２７、２８が重なる角度に応じて所望の調光を行った時点で可動偏光板２８の回動をやめるといった動作を、光の強さが変化する毎に行うようにする。
【００１９】
以上のような第２の実施例によれば、上記第１の実施例と同様な効果を得られると共に、調光度合いを細かく調整することができる。なお、可動偏光板２８は、第１カバー２５及び不動偏光板２７の上面から突出させるようにしてもよい。
また、上記第１及び第２の実施例において、レンズホルダ１３に対して調光レンズ２２を使用したり、或いはレンズホルダ２４に色付きサングラス１５を使用するようにしてもよい。
また、支持部１３ａの偏平度合いは、特に限定するものではなく、例えば複数の節度を持つような偏平度合いを付与するようにしてもよい。
また、付加型サングラス１、２０を装着する既存のメガネ１７のレンズ８は、度入りであっても、度入りでなくても、どちらでもよい。
【図面の簡単な説明】
【００２０】
【図１】本発明の第１の実施例を示すもので、（ａ）は付加型サングラスの正面図、（ｂ）は側面図
【図２】（ａ）は要部の分解斜視図、（ｂ）は（ａ）のＸ−Ｘ線に沿う断面図
【図３】既存のメガネへの装着時における側面図
【図４】本発明の第２の実施例を示す図１相当図
【図５】図２相当図
【図６】従来例を示す斜視図
【符号の説明】
【００２１】
図面中、１は付加型サングラス、２は板バネ、３は第１レバー支持部（側方支持部）、４は第２レバー支持部（下方支持部）、５は前レバー（挟みレバー）、６は後レバー（挟みレバー）、７は段部、９は樹脂、１１はレンズホルダ支持部材、１３はレンズホルダ、１５は色付きサングラス（遮光レンズ）、２０は付加型サングラス、２１はレンズホルダ支持部材、２２は調光レンズ（遮光レンズ）、２４はレンズホルダ、２５は第１カバー、２７は不動偏光板、２８は可動偏光板、３０は第２カバーである。
【図１】
2006301287.tif 000003
【図２】
2006301287.tif 000004
【図３】
2006301287.tif 000005
【図４】
2006301287.tif 000006
【図５】
2006301287.tif 000007
【図６】
2006301287.tif 000008